(57)【要約】【課題】外気温の影響を受けにくく、屋内に温度を伝えにくい宅配ボックスを備える建具を提供すること。【解決手段】縦枠３１、３２横枠３３、３４及び方立３５を有する枠体３０と、枠体３０の内側で方立３５の左右一側に配置される戸体２０と、枠体３０の内側で方立３５の左右他側に配置され、開口部１０１を有する袖部１０と、開口部１０１に配置される宅配ボックス６０と、を備え、宅配ボックス６０は、内部に収納空間を有する本体部６１と、本体部６１の取出口６０１を開閉する扉６２を有し、本体部６１には、断熱材６００が配置される建具１である。【選択図】図９
2019135361.tif 000002
【特許請求の範囲】
【請求項１】
縦枠、横枠及び方立を有する枠体と、
前記枠体の内側で前記方立の左右一側に配置される戸体と、
前記枠体の内側で前記方立の左右他側に配置され、開口部を有する袖部と、
前記開口部に配置される宅配ボックスと、を備え、
前記宅配ボックスは、内部に収納空間を有する本体部と、前記本体部の取出口を開閉する扉を有し、前記本体部には、断熱材が配置される建具。
【請求項２】
前記本体部は、略直方体に形成され、底面部と、前記底面部に対向して上部に配置される天面部と、前記本体部の側部に配置される一対の側面部と、前記取出口に対向する背面部と、を有し、
前記側面部のそれぞれは、外側面部と、前記外側面部の内側に間を空けて配置される内側面部とを有する二重構造を有し、
前記断熱材は、前記外側面部と前記内側面部の間に配置される、請求項１に記載の建具。
【請求項３】
前記本体部は、略直方体に形成され、底面部と、前記底面部に対向して上部に配置される天面部と、前記本体部の側部に配置される一対の側面部と、前記取出口に対向する背面部と、を有し、
前記断熱材は、少なくとも前記一対の側面部の内周面に設けられる、請求項１に記載の建具。
【発明の詳細な説明】
【技術分野】
【０００１】
本発明は、建具に関する。
【背景技術】
【０００２】
従来、不在時に宅配物を受け取るための宅配ボックスにおいて、玄関ドアの袖部に配置される建具と一体型のものが知られている。この種の建具を記載するものとして例えば特許文献１がある。特許文献１には、玄関ドア枠内における袖部に配達物投入扉を設けて、宅配物を収容する本体部が建物の屋内側に配置された建具について記載されている。
【先行技術文献】
【特許文献】
【０００３】
【特許文献１】実開昭６１−９４１７４号公報
【発明の概要】
【発明が解決しようとする課題】
【０００４】
宅配ボックスの本体部が玄関ドアの屋内側に配置される場合、宅配ボックスを介して外気温を建物の室内側に伝えやすくなる場合があった。また、宅配物自体に温度変化の影響を与えにくくするため、宅配ボックスの内部の温度を安定した状態に保ちたいという課題があった。
【０００５】
本発明は、外気温の影響を受けにくく、屋内に温度を伝えにくい宅配ボックスを備える建具を提供することを目的とする。
【課題を解決するための手段】
【０００６】
本発明は、縦枠（例えば、後述の縦枠３１，３２）、横枠（例えば、後述の横枠３３，３４）及び方立（例えば、後述の方立３５）を有する枠体（例えば、後述の枠体３０）と、前記枠体の内側で前記方立の左右一側に配置される戸体（例えば、後述の戸体２０）と、前記枠体の内側で前記方立の左右他側に配置され、開口部（例えば、後述の開口部１０１）を有する袖部（例えば、後述の袖部１０）と、前記開口部に配置され、前記枠体に固定される宅配ボックス（例えば、後述の宅配ボックス６０）と、を備え、前記宅配ボックスは、内部に収納空間を有する本体部（例えば、後述の本体部６１）と、前記本体部の取出口を開閉する扉（例えば、後述の扉６２）を有し、前記本体部には、断熱材（例えば、後述の断熱材６００）が配置される建具（例えば、後述の建具１）に関する。
【０００７】
前記本体部は、略直方体に形成され、底面部（例えば、後述の底面部６１３）と、前記底面部に対向して上部に配置される天面部（例えば、後述の天面部６１２）と、前記本体部の側部に配置される一対の側面部（例えば、後述の一対の側面部６１４）と、前記取出口に対向する背面部（例えば、後述の背面部６１５）と、を有し、前記側面部のそれぞれは、外側面部（例えば、後述の一対の外側面部６１４ａ）と、前記外側面部の内側に間を空けて配置される内側面部（例えば、後述の一対の内側面部６１４ｂ）とを有する二重構造を有し、前記断熱材は、前記外側面部と前記内側面部の間に配置されることが好ましい。
【０００８】
前記本体部は、略直方体に形成され、底面部と、前記底面部に対向して上部に配置される天面部と、前記本体部の側部に配置される一対の側面部と、前記取出口に対向する背面部と、を有し、前記断熱材は、少なくとも前記一対の側面部の内周面に設けられることが好ましい。
【発明の効果】
【０００９】
本発明によれば、外気温の影響を受けにくく、屋内に温度を伝えにくい宅配ボックスを備える建具を提供することができる。
【図面の簡単な説明】
【００１０】
【図１】本発明の一実施形態に係る建具を室外側から見た図である。
【図２】本実施形態の建具における袖部の縦断面図である。
【図３】本実施形態の建具における上部の横断面図である。
【図４】本実施形態の建具における下部の横断面図である。
【図５】本実施形態の宅配ボックスの扉が開いた状態を示す斜視図である。
【図６】本実施形態の建具の宅配ボックスが取り付けられる前の状態を室内側から示す斜視図である。
【図７】本実施形態の宅配ボックスに固定される上面取付プレート及び側面取付プレートを示す斜視図である。
【図８】本実施形態の建具に取り付けられた宅配ボックスを室内側から見た斜視図である。
【図９】本実施形態の袖部の部分拡大断面図である。
【発明を実施するための形態】
【００１１】
以下、本発明の好ましい実施形態について、図面を参照しながら説明する。図１は、本実施形態に係る建具１の正面図である。図２は、建具１における袖部１０の縦断面図である。図３は、建具１における上部の横断面図であり、図４は、建具の下部の横断面図である。なお、以下の説明で左右方向は、図１を正面としたときの左右方向である。
【００１２】
図１〜図４に示す建具１は、枠体３０と、戸体２０と、袖部１０と、を備える玄関ドアである。
【００１３】
枠体３０は、建具１の四周を構成するともに、戸体２０と袖部１０の間を仕切るものである。枠体３０は、一対の縦枠３１、３２と、一対の横枠３３、３４と、方立３５と、無目３６と、を備える。
【００１４】
一対の縦枠３１、３２は、建具の左右方向における一方と他方の端部に配置される。一方の縦枠３１は、袖部１０の側方に、他方の縦枠３２は、戸体２０の側方に配置される。一対の横枠３３、３４は、建具の上下に配置される。一対の縦枠３１、３２及び一対の横枠３３、３４が建具１の四周を形成する。
【００１５】
方立３５は、枠体３０の内側を左右一側と左右他側に区画する。方立３５によって区画された左右一側に戸体２０が配置され、左右他側に袖部１０が配置される。無目３６は、縦枠３１と方立３５の間に配置される。無目３６によって袖部１０が上下に区画される。方立３５における戸体２０側の見込面には保持片３６８が形成され、この保持片３６８が閉鎖位置の戸体２０に見込方向で当接する室外側気密材３６９を支持する（図３参照）。
【００１６】
戸体２０は、枠体３０に対して開閉可能に取り付けられており、建具１の出入口を構成する。本実施形態の戸体２０は、縦枠３２に複数のヒンジ３２０を介して回転可能に支持される。縦枠３２におけるヒンジ３２０が固定される見込面には、保持片３２２が形成される。保持片３２２は、閉鎖位置の戸体２０に見込方向で当接するクッション材３２１を支持する。
【００１７】
袖部１０は、その上部に採光パネル１２が配置され、下部に宅配ボックス６０が配置される開口部１０１を有する。
【００１８】
採光パネル１２は、光を透過する部材によって構成される。本実施形態の採光パネル１２は、室外側パネル１２ａと室内側パネル１２ｂがスペーサー１２ｃを介して離間するように配置される複層ガラス（ガラス面材）である。
【００１９】
採光パネル１２を保持する構成について説明する。図２に示すように、採光パネル１２の上部は、横枠３３の下側に配置される上部保持部材３３１によって保持される。上部保持部材３３１の下部は採光パネル１２の上部が差し込まれるガラス溝となっている。上部保持部材３３１には、室外側気密材３３２及び室内側気密材３３３が配置されており、採光パネル１２は、その上部が見込方向で室外側気密材３３２と室内側気密材３３３に挟み込まれた状態で保持される。
【００２０】
採光パネル１２の下部は、無目３６の上部に形成される下部保持部３６１よって保持される。下部保持部３６１は、その上部がガラス溝となっており、上部保持部材３３１と同様に、室外側気密材３６２と室内側気密材３６３が配置される。採光パネル１２は、その下部が見込方向で室外側気密材３６２と室内側気密材３６３に挟み込まれた状態で保持される。また、下部保持部３６１の内側には採光パネル１２を下から支持するセッティングブロック３６４が配置される。
【００２１】
図３に示すように、採光パネル１２は、左右方向一側の側部が方立３５によって保持されるとともに、左右方向他側の側部が縦枠３１によって保持される。
【００２２】
方立３５の袖部１０側の見込面には室外側保持片３５１及び室内側延出片３５２が形成される。また、方立３５の見込面における室外側保持片３５１と室内側延出片３５２の間には、室内側係合部材３５３を係合するための係合片３５７が形成される。室内側係合部材３５３は、その室内側の部位が室内側延出片３５２に係合されるとともに室外側端部が係合片３５７に係合される。室外側保持片３５１と室内側係合部材３５３によってガラス溝が形成され、該ガラス溝の内側にはセッティングブロック３５６が配置される。また、室外側保持片３５１は、方立３５の本体部分から見付方向の縦枠３１側に延びた後、見込方向室内側に屈曲するように形成される。室外側保持片３５１の先端には室外側気密材３５４が配置される。室内側係合部材３５３は、見付方向の縦枠３１側に延びた後、見込方向室外側に屈曲するように形成され、その先端には室内側気密材３５５が配置される。採光パネル１２は、その方立３５側の側部が見込方向で室外側気密材３５４と室内側気密材３５５に挟み込まれた状態で保持される。方立３５の室外側保持片３５１及び室内側延出片３５２は、方立３５の本体部分の室内側面３５ａ及び室外側面３５ｂよりも見込方向内側で袖部１０側に突出する。このため、方立３５の室外側面３５ｂには、袖部１０側で室内側に窪むような段差が形成される。
【００２３】
縦枠３１の袖部１０側の見込面には室外側保持片３１１及び室内側延出片３１２が形成される。また、縦枠３１の見込面における室外側保持片３１１と室内側延出片３１２の間には、室内側係合部材３１３を係合するための係合片３１７が形成される。室内側係合部材３１３は、その室内側の部位が室内側延出片３１２に係合されるとともに室外側端部が係合片３１７に係合される。室外側保持片３１１と室内側係合部材３１３によってガラス溝が形成され、該ガラス溝の内側にはセッティングブロック３１６が配置される。また、室外側保持片３１１は、縦枠３１の本体部分から見付方向の方立３５側に延びた後、見込方向室内側に屈曲するように形成される。室外側保持片３１１の先端には室外側気密材３１４が配置される。室内側係合部材３１３は、見付方向の縦枠３１側に延びた後、見込方向室外側に屈曲するように形成され、その先端には室内側気密材３１５が配置される。採光パネル１２は、その縦枠３１側の側部が見込方向で室外側気密材３１４と室内側気密材３１５に挟み込まれた状態で保持される。縦枠３１の室外側保持片３１１及び室内側延出片３１２は、方立３５の室外側保持片３５１及び室内側延出片３５２とそれぞれ向かい合う位置に配置される。室外側保持片３１１及び室内側延出片３１２は、縦枠３１の本体部分の室内側面３１ａ及び室外側面３１ｂよりも見込方向内側で袖部１０側に突出する。このため、縦枠３１の室外側面３１ｂには、袖部１０側で室内側に窪むような段差が形成される。この段差は、方立３５側で形成される段差と対称な位置で形成される。
【００２４】
室外側気密材３３２、３６２、３５４、３１４は、何れも先付ビードであり、ゴム等の弾性変形可能な部材によって構成される。室内側気密材３３３、３６３、３５５、３１５も、弾性変形可能な部材によって構成される。
【００２５】
宅配ボックス６０は、無目３６を挟んで採光パネル１２の下方に位置する。宅配ボックス６０は、宅配物等を収容可能な空間を有する本体部６１と、本体部６１に対して開閉可能に取り付けられる扉６２と、を主要な構成として備える。
【００２６】
図５は、本実施形態の宅配ボックス６０の扉が開いた状態を示す斜視図である。図５に示すように、本体部６１は、枠体３０に固定された状態で室外側に投入口を兼ねる取出口６０１が形成される。本体部６１の取出口６０１が扉６２によって閉鎖されることにより、宅配ボックス６０の内部が外部から隔てられる。扉６２は、本体部６１における縦枠３１側に開閉可能に支持されている。扉６２の方立３５側に位置する戸先側が手掛け部６２１となっている。また、扉６２には、暗証番号を入力する操作部６２２やロック機構６２３等の機能部品が配置される。
【００２７】
次に、宅配ボックス６０の取付構造について説明する。図６は、本実施形態の建具１の宅配ボックス６０が取り付けられる前の状態を室内側から示す斜視図である。図７は、本実施形態の宅配ボックス６０に固定される上面取付プレート７０及び側面取付プレート７１、７２を示す分解斜視図である。図８は、本実施形態の建具１に取り付けられた宅配ボックス６０を室内側から見た斜視図である。
【００２８】
図７及び図８に示すように、本実施形態の宅配ボックス６０には、本体部６１の上面に配置される上面取付プレート７０と、本体部６１の左右両側の側面にそれぞれ配置される側面取付プレート７１、７２と、が配置される。
【００２９】
図２に示すように、上面取付プレート７０は、本体部６１の上面に固定される固定面７００と、固定面７００の室外側端部から上方に屈曲する室外側見付面部７０１と、固定面７００の室内側端部から上方に屈曲した後、見込方向室外側に延びて下方に折り返す当接部７０２と、を備える。図７に示すように、ネジ等の締結部材７０５が固定面７００を貫通して本体部６１に固定されることで上面取付プレート７０が本体部６１に固定される。
【００３０】
無目３６の下面には室外側保持片３６５及び室内側延出片３６６が形成されている。室外側保持片３６５は、無目３６の本体部分から下方に延出した後、見込方向室内側に屈曲する。室外側保持片３６５の先端には、室外側気密材３６７が固定される。宅配ボックス６０が袖部１０に固定された状態では、上面取付プレート７０の室外側見付面部７０１が、室外側気密材３６７に見込方向で接触するとともに当接部７０２の室外側の見付面７０３が室内側延出片３６６に対向する状態となる。無目３６は、縦枠３１及び方立３５よりも室内側に奥まっており、段差状になっている。当接部７０２は、宅配ボックス６０が固定された状態で、その室内側の面が縦枠３１及び方立３５の室内側の面と面一になる形状に構成される。
【００３１】
図４に示すように、側面取付プレート７１は、本体部６１の側面に固定される固定面７１０と、固定面７１０の室外側端部から縦枠３１側に屈曲する室外側見付面部７１１と、固定面７１０の室内側端部から縦枠３１側に延出した後、見込方向室外側に延び、更に本体部６１側に折り返す当接部７１２と、を備える。図７に示すように、ネジ等の締結部材７０５が固定面７１０を貫通して本体部６１に固定されることで側面取付プレート７１が本体部６１に固定される。
【００３２】
宅配ボックス６０が袖部１０に固定された状態では、側面取付プレート７１の室外側見付面部７１１が、縦枠３１の室外側保持片３１１の室外側気密材３１４に見込方向で接触するとともに当接部７１２の室外側の見付面７１３が室内側延出片３５２に対向する状態となる。図８に示すように、当接部７１２の室内側面には貫通孔７２５が上下方向に間隔をあけて複数形成される。この貫通孔７２５を通じてリベット等の締結部材７１６が当接部７１２の室外側の見付面を貫通して縦枠３１の室外側保持片３１１に締結される。貫通孔７２５にはカバー部材７３０が配置され、締結部材７１６が室内側からも見えない位置となっている。
【００３３】
側面取付プレート７２は、本体部６１の側面に固定される固定面７２０と、固定面７２０の室外側端部から方立３５側に屈曲する室外側見付面部７２１と、固定面７２０の室内側端部から方立３５側に延出した後、見込方向室外側に延び、更に本体部６１側に折り返す当接部７２２と、を備える。図７に示すように、ネジ等の締結部材７０５が固定面７２０を貫通して本体部６１に固定されることで側面取付プレート７２が本体部６１に固定される。
【００３４】
宅配ボックス６０が袖部１０に固定された状態では、側面取付プレート７２の室外側見付面部７２１が、方立３５の室外側保持片３５１の室外側気密材３５４に見込方向で接触するとともに当接部７２２の室外側の見付面７２３が室内側延出片３５２に対向する状態となる。当接部７２２の室内側面には貫通孔７２５が上下方向に間隔をあけて複数形成される。この貫通孔７２５を通じてネジ等の締結部材７２６が当接部７２２の室外側の見付面を貫通して方立３５の室外側保持片３５１に締結される。貫通孔７２５にはカバー部材７３０が配置され、締結部材７１６が室内側からも見えない位置となっている。
【００３５】
宅配ボックス６０の下面は、横枠３４の上側に配置される下部保持部材３４１によって保持される。下部保持部材３４１の上部は溝状になっている。下部保持部材３４１の室外側上部には室外側気密材３４５が配置される。本体部６１の室外側は、この室外側気密材３４５を介して下から支持される。
【００３６】
次に、宅配ボックス６０における宅配物の取出方法について説明する。図４に示すように、本実施形態の宅配ボックス６０は、建具１の本体部６１の室内側には取出口が形成されておらず、扉６２を開いたときのみ取出口６０１を通じて宅配ボックスの内部にアクセスできるようになっている。
【００３７】
次に、宅配ボックス６０の構成についてより詳細に説明する。
図９は、袖部１０の部分拡大断面図である。図９及び図２に示すように、本体部６１は、略直方体であり、取出口６０１と、天面部６１２と、底面部６１３と、一対の側面部６１４と、背面部６１５と、を有する。また、本体部６１には、断熱材６００が配置される。
【００３８】
取出口６０１は、本体部６１の屋外側に開放された開口である。取出口６０１の上方及び下方には、幅方向の一方から他方へ延びる取出口横枠６０２が取り付けられる（図２及び図５参照）。取出口横枠６０２は、後述する扉６２と噛み合うとともに、ロック機構６２３の部品が挿通する。
【００３９】
底面部６１３は、図２に示すように、玄関の室内側の床面に沿って水平方向に配置される平坦な板体である。底面部６１３の上には、取出口横枠６０２との高低差を小さくする補助板６１６が配置されている。
天面部６１２は、底面部６１３に対向して、上部に配置される。天面部６１２は、外側天面部６１２ａと、内側天面部６１２ｂの二枚の板体により形成され、外側天面部６１２ａの内側に内側天面部６１２ｂが間を空けて配置され、内部が中空になっている。
背面部６１５は、取出口６０１に対向して上下方向に延び、建物の室内側に面する平坦な板体である。
一対の側面部６１４は、図９に示すように、本体部６１の側部に配置され、取出口６０１の幅方向における一方側と他方側で板体が向き合うように底面部６１３から起立する。一対の側面部６１４は、外側面部６１４ａと、内側面部６１４ｂの二枚の板体により形成され、外側面部６１４ａの内側に内側面部６１４ｂが間を空けて配置され、内部が中空の二重構造を有して形成されている。
【００４０】
図９に示すように、側面部６１４の内側面部６１４ｂは、一方では、取出口６０１の幅方向の縦枠３１側の端部と略面一に重なり、他方では、取出口６０１方立３５側の端部と近接して配置されている。このため、取出口６０１の幅が、そのまま各側面部６１４の内側面部６１４ｂ同士の距離とほぼ同じに形成されるので、取出口６０１から内側面部６１４ｂへ連続的な奥行が形成され、宅配物を取出口６０１から内部へ入れやすくなっている。
【００４１】
断熱材６００は、本実施形態では、天面部６１２の外側天面部６１２ａ及び内側天面部６１２ｂの間と、一対の側面部６１４の外側面部６１４ａ及び内側面部６１４ｂの間にそれぞれ配置されている。断熱材６００は、天面部６１２及び一対の側面部６１４内に形成される中空の空間において、枠体３０の室内側の端部と見込み方向において重なる位置から背面部６１５に届くまで配置される。断熱材６００は、向かい合う外側天面部６１２ａ及び内側天面部６１２ｂの間、外側面部６１４ａ及び内側面部６１４ｂの間それぞれに、厚さ方向に隙間ができるだけ小さくなるように配置される。
【００４２】
扉６２は、表板６２ａ及び裏板６２ｂを有し、外縁で接合されて形成される。図９に示す通り、扉６２の幅は、本体部６１の取出口６０１と一対の側面部６１４の厚みを合せた幅より広く形成されている。扉６２の吊元側は、本体部６１の縦枠３１側の側面部６１４に蝶番６４を介して取り付けられる。扉６２の戸先側で上下方向に延びる戸先側縁は、方立３５側の側面部６１４を越えて方立３５側に突出する。扉６２の戸先側縁は、方立３５の袖部１０側における室外側面の端部に対向して、方立３５の室外側保持片３５１と見込方向に重なるように配置される。
【００４３】
図９に示すように、手掛け部６２１は、平面視で扉６２の表板６２ａ側が平坦に形成され、裏板６２ｂが戸先で表板６２ａ側に向かって傾斜することで形成される。手掛け部６２１の裏板６２ｂの傾斜の裏には、略三角形の隙間Ｓが形成される。
方立３５の袖部１０側は、採光パネル１２を挟持する室外側保持片３５１及び室内側延出片３５２によって採光パネル１２側に窪む段差が形成されているので、扉６２の戸先側に形成される略三角形の隙間と段差との間に指をかける空間が形成される。この空間に手掛け部６２１が配置されることで、室外側から指を空間に挿入しつつ、手掛け部６２１の室内側を室外側に向かって指で押すことで扉６２が開く。
【００４４】
扉６２は、本実施形態では、本体部６１に接続可能に本体部６１と別体に形成されている。本体部６１よりも扉６２の方が幅広になっているため、扉６２が一体となっていると、宅配ボックス６０の取り付け時には、ネジ止め等で内部が視認できなくなる等、施工しにくくなるからである。扉６２は、本体部６１を袖部１０の開口部１０１に取り付けた後、本体部６１の吊元側の側面部６１４に扉６２を取り付ける。
【００４５】
本実施形態によれば、以下の効果が奏される。
本実施形態では建具１を、縦枠３１、３２、横枠３３、３４及び方立３５を有する枠体３０と、枠体３０の内側で方立３５の左右一側に配置される戸体２０と、枠体３０の内側で方立３５の左右他側に配置され、開口部１０１を有する袖部１０と、開口部１０１に配置される宅配ボックス６０と、を含んで構成した。また、宅配ボックス６０を、配達物を収容する本体部６１及び本体部６１の取出口６０１を開閉する扉６２を含んで構成した。また、本体部６１を、断熱材６００を含んで構成した。これにより、宅配物を収容する本体部６１内の温度変化を安定させやすく、外気温の影響を受けにくくなるとともに、外気温を室内に伝達しにくくなるため、建物内の温度も調節しやすくなる。また、結露の発生を効果的に防止することができ、宅配ボックス６０及び周囲の構造物の耐久性を高めることができる。
【００４６】
また、本実施形態では、本体部６１を、略直方体に形成し、底面部６１３と、底面部６１３に対向して上部に配置される天面部６１２と、本体部６１の側部に配置される一対の側面部６１４と、取出口６０１に対向する背面部６１５と、を含んで構成した。また、側面部１４のそれぞれを、外側面部６１４ａと、外側面部６１４ａの内側に間を空けて配置される内側面部６１４ｂとを有する二重構造を含んで構成し、断熱材６００を、外側面部６１４ａと内側面部６１４ｂの間に配置させた。これにより、本体部６１の最も面積の広い一対の側面部６１４に断熱材６００が配置されることで、効率よく断熱効果を得ることができる。また、一対の側面部６１４の一方は、戸体２０側に位置に、屋外側の空間に面している。このため、側面部６１４の内部に断熱材６００が配置されることで、玄関の室内側の気温と、宅配ボックスに伝わる外気温とが影響し合うことを効率的に防止することができる。
【００４７】
以上、本発明の好ましい実施形態について説明したが、本発明は、上述の実施形態に制限されるものではなく、適宜変更が可能である。
【００４８】
例えば、上述の実施形態では、一対の側面部６１４と天面部６１２を二重構造として、断熱材６００が、一対の側面部６１４と天面部６１２の内部にのみ配置された構成を例に説明したが、これに限られない。側面部６１４及び天面部６１２に限らず、底面部６１３、背面部６１５にも、それぞれ外側底面部、内側底面部、外側背面部、内側背面部を設けて二重構造とし、断熱材６００を五つの面の二重構造の内部に設けてもよいし、又はいずれかに設けてもよい。
断熱材６００が天面部６１２に配置されていることで、採光パネル１２から太陽光等が入射する場合に、外気温による変化を効率的に防止することができる。
断熱材６００が底面部６１３に配置されていることで、建物の床面側から伝わる温度変化に対して影響を受けにくくすることができる。
断熱材が背面部６１５に配置されていることで、室内外での温度の伝達をより一層防止しやすくなる。
【００４９】
また、上記実施形態では、断熱材６００は、一対の側面部６１４と天面部６１２の内部で、枠体３０の室内側の端部と見込み方向において重なる位置から背面部６１５に届くまでほぼ全面に亘って配置されているが、これに限られない。断熱材６００は、例えば下方側、又は上方側、あるいは屋外側等、各面内の一部にのみ配置されてもよい。
【００５０】
また、他の実施形態として、本体部６１を構成するそれぞれの面を二重構造にせずに、一枚の板体で構成し、その内周面に断熱材を貼りつけるように構成してもよい。断熱材を少なくとも一対の側面部の内周面に設けることで、上記と同様の効果を得ることができる。また、内周面に貼りつけるだけでよいので、施工が容易となる。断熱材６００は、側面部６１４に限らず、底面部６１３、天面部６１２、背面部６１５の全ての内周面に設けてもよいし、そのいずれかに設けてもよい。また、断熱材６００は、内周面に対して脱着可能に構成してもよい。脱着可能に構成することで、夏季や冬季等の温度変化の急激な季節にのみ使用したり、届く荷物の大きさに応じて本体部６１内の容積を確保したりすることができる。
【００５１】
また、上記実施形態では、宅配ボックスの材質について特に限定していないが、断熱効果を向上させるため、一部を樹脂により構成してもよい。例えば、本体部６１を構成するそれぞれの面部を二重構造とし、内側面部のみ樹脂製にしてもよい。また例えば、本体部６１の取出口側の取出口横枠６０２を樹脂製にしてもよい。
【００５２】
また上記実施形態では、底面部６１３の上に補助板６１６を配置しているが、補助板６１６を二重構造とし、内部に断熱材６００を配置してもよい。又は補助板６１６を樹脂や板紙、木製等、熱伝導率の低い素材により構成してもよい。
【符号の説明】
【００５３】
１    建具
１０  袖部
２０  戸体
３０  枠体
３１、３２  縦枠
３３、３４  横枠
３５  方立
６０  宅配ボックス
６１  本体部
６２  扉
１０１  開口部
６００  断熱材
６１２  天面部
６１３  底面部
６１４  一対の側面部
６１５  背面部
【図１】
2019135361.tif 000003
【図２】
2019135361.tif 000004
【図３】
2019135361.tif 000005
【図４】
2019135361.tif 000006
【図５】
2019135361.tif 000007
【図６】
2019135361.tif 000008
【図７】
2019135361.tif 000009
【図８】
2019135361.tif 000010
【図９】
2019135361.tif 000011